(57)【要約】【課題】  負傷者の治療優先順位を変更した場合に、治療を行おうとする医師や看護士に、変更後の治療優先順位を、より正確に伝えることのできる、トリアージタッグを提供する。【解決手段】  トリアージタッグには、トリアージ区分という欄が設けられており、０、Ｉ、ＩＩ、ＩＩＩ、と４種類のローマ数字が記されている。傷病者は、初期診断によって優先順位が決められ、その順位にふさわしい数字が、０、Ｉ、ＩＩ、ＩＩＩ、の中から選択される。しかし、この傷病者が病院まで搬送される途中で、優先順位の変更をしなければならない事も起こってくる。トリアージ区分を、数字だけで区分するより、色と数字を組み合わせる方が、より正確に優先順位を判断することが出来る。０には黒色を、Ｉには赤色を、ＩＩには黄色を、ＩＩＩには緑色を組み合わせることによって、変更後の識別標識が、第何順位なのかを、より正確に伝えることの出来るトリアージタッグを提供することが出来る。【選択図】図１
0003159515.tif 000002
【実用新案登録請求の範囲】
【請求項１】
上面に複写用紙を付したトリアージに必要な事項の記載欄を有し、且つその下に、治療優先度を示す４種類の識別標識を切り取り可能に設けてなるトリアージタッグにおいて。必要な事項の記載欄の、中に、トリアージ区分という欄が設けられている。この欄において、トリアージ区分という文字の右側を、四つの区分に分け、０の数字の書かれた区分を黒色に着色し、Ｉの数字の書かれた区分を赤色に着色し、ＩＩの数字の書かれた区分を黄色に着色し、ＩＩＩの数字の書かれた区分を緑色に着色することを特徴とするトリアージタッグ。つまりは、０の数字には黒色を、Ｉの数字には赤色を、ＩＩの数字には黄色を、ＩＩＩの数字には緑色を、組み合わせて使用することを特徴とするトリアージタッグ。
【考案の詳細な説明】
【技術分野】
【０００１】  本考案は、トリアージタッグに関する。トリアージタッグには、必要な事項の記載欄というものが設けられている。その中に、トリアージ区分、というものが設けられている。トリアージ区分の欄の右には、ローマ数字の０、Ｉ、ＩＩ、ＩＩＩ、が記されている。この４種類の数字のかかれた領域を四つの区分に分け、０の数字の書かれた領域を黒色に着色し、Ｉの数字の書かれた領域を赤色に着色し、ＩＩの数字の書かれた領域を黄色に着色し、ＩＩＩの数字の書かれた領域を緑色に着色する。トリアージ区分に、０、Ｉ、ＩＩ、ＩＩＩ、の数字と共に、黒色、赤色、黄色、緑色の四色の色を組み合わせて用いることを特定したトリアージタッグに関する。
【背景技術】
【０００２】  トリアージタッグとは、限られた人的物的資源の状況下で、最大多数の傷病者に最善の医療を施すため、患者の緊急度と重傷度により治療優先度を決める標識である。自然災害や、人的災害時に多くの傷病者が出ることがある。このとき、傷病者の重傷度によって、緊急を要する者とそうでない者とがある。治療優先度を決めた方が、最善の医療を速やかに施すことができる。このため、トリアージタッグには治療優先度を直ちに認識できるように、生命、四肢が危機的状態である為、緊急に処置を必要とする者には、治療優先度第１順位の識別標識をつける。２〜３時間処置を遅らせても悪化しない程度の者には、治療優先度第２順位の識別標識をつける。軽傷、通院加療が可能な程度の者には、治療優先度第３順位の識別標識をつける。生命徴候のない者、あるいは、治療をほどこしても生命を維持することが不可能なほど傷病の重い者には、治療優先度第４順位の識別標識をつける。第１順位の識別標識は赤色、第２順位の識別標識は黄色、第３順位の識別標識は緑色、第４順位の識別標識は黒色とされている。（図３を参照）このようなトリアージタッグのシステムは、緊急を要する者から順番に医師に診察してもらい、一人でも多くの人に助かってもらいたいということで考えだされたものである。傷病者を初期診断した者は、治療優先順位を決め、その色と数字が一番外側にくるように、もぎりの部分をもぎり、優先順位を決定する。それと同時に、トリアージ区分という欄の数字にも、丸をつける。このとき、もぎりの部分の一番外側の数字と、トリアージ区分で選択され丸をつれられた数字が同じものであることを確認して、初期診断した者は、自分の行為にミスがないようにとチェックしているのである。傷病者の治療をする医師や看護士も、トリアージタッグの一番外側のもぎりの部分の数字と色が、トリアージ区分で選択され、丸をつれられた数字と同じものであることを確認し、治療の順位に間違いがないかをチェックしているのである。普通には、もぎりの部分が最も大切な場所である。もぎりの部分の一番外側を見て、医師や看護士は、その傷病者の優先順位を知ることが出来るからである。トリアージ区分の数字は、優先順位に間違いがないかを再確認をする為のものである。よって、もぎりの部分が最重要な場所であり、トリアージ区分は、補助的役割をはたしているのである。しかし、初期診断の後に、優先順位の変更がなされた場合には、この立場が逆転する。未使用のトリアージタッグには、治療優先順位を示す四種類の識別標識がつけられている。しかし、初期診断をした時点で、識別標識はもぎりとられる。初期診断をしたことによって、最大で、三種類の識別標識はトリアージタッグからもぎりとられる。この状態で、優先順位を変更しようとすれば、トリアージ区分のところが、最も大切な場所になる。なぜなら、トリアージ区分の場所によってしか、傷病者の優先順位が確認出来ないことも起こりうるからである。例えば、ある傷病者が初期診断によって、もぎりの部分を三種類もぎりとられていたとする。つまり、この傷病者は０（黒色）であった。少し時間が経過したとき、初期診断をした者が、０と判断したのは誤診であった。この傷病者はＩ（赤色）でなけ���ばならないと診断したのである。優先順位を０（黒色）からＩ（赤色）に変更しなければならないと判断したのである。この傷病者のもぎりの部分は三種類ほど、もぎりとられてしまっている。優先順位を変更するならば、トリアージ区分のところを変更するしかない。このとき、トリアージ区分のところは０に丸がついている。この丸を二本線で消して、Ｉの部分に丸をつけなければならない。Ｉに丸をつけるには少し考える時間が必要である。もぎりの部分が三種類もぎりとられているから、ＩなのかＩＩＩなのかを考えなければならないからである。Ｉが何であったのか、ＩＩＩが何であったのかを、思いださなければならない。その為に、少し時間がかかるのである。あるいは、思い出せないかもしれない。私達は普段、信号を見ながら生活していて、色によって状況を判断するということに慣れている。トリアージタッグにおいても、数字で判断するよりも、色で判断する方が、判断しやすい人たちもいる。黒は喪服の色であって、死と結びついている。赤は信号の赤に対応していて、最も危険な状態であり、早急に治療が必要である。黄色は、信号の黄色に対応していて、赤ほどは危険でない。医師の治療を必要としているが、赤の人ほど急がなくてもいい。緑色は、信号の青色に対応していて、さほど危険ではない。医師の治療を必要としないものである。信号を見ながら生活している私達は、色を見てトリアージタッグの四種類の優先順位を判断することは、さほど難しいことではない。そもそもトリアージタッグに四種類の優先順位を設け、四種類の色を使用したのは、迅速かつ正確に優先順位を判断させる為である。それならば、トリアージ区分の所にも、四種類の色を対応させるべきである。しかし、現在使用されているトリアージタッグの、トリアージ区分のところには、色か使用されていない。これは、重大な欠点があると、私は考える。数字だけで判断するよりも、数字と色の二種類の情報で判断する方が、はるかに迅速かつ正確に判断ができるだろう。優先順位の変更を行う者も、その変更後に治療する者も、数字と色の組み合わせを使った方が、迅速かつ正確に優先順位を判断することが出来る。現在使用されているトリアージタッグの、トリアージ区分の場所には、色が使用されていない。０の数字の部分には黒色を使用する、Ｉの数字の部分には赤色を使用する、ＩＩの数字の部分には黄色を使用する、ＩＩＩの数字の部分には緑色を使用する。この技術が出願者の考える技術である。短時間での判断ゆえに、優先順位を間違えることもある。時間の経過とともに、より正確な判断が出来、傷病者の優先順位を上げなければならないことや、下げなければならないことが起こってくる。このとき、治療を行う者は、トリアージ区分の、変更後の区分を見て、傷病者の優先順位を判断する。治療を行う医師や看護士も、トリアージ区分の優先順位で、傷病者の優先順位を判断しなければならない。初期診断によって、もぎりの部分がもぎりとられてしまった為に、一番外側を、目的の優先順位の色にすることが出来ないことも起こる。初期診断によって、目的の色が、もぎり取られている為に、一番外側を目的とする優先順位の色にすることが出来ないからである。すでに目的の優先順位を表す���識は、もぎりとられてしまっていることもあるからである。現在使用されているトリアージタッグでは、トリアージ区分という欄には、数字だけが記されていて、色はつけられていない。トリアージタッグは、四種類の色によって優先順位を識別するという役割をはたしている。それなのに、トリアージ区分という場所に、四種類の色がつかわれていないのは、重大な欠点があると、私は考えるのである。（図３参照）このように、現在使用されているトリアージタッグの、トリアージ区分という欄には、０、Ｉ、ＩＩ、ＩＩＩ、という数字が使用されているだけで、黒色、赤色、黄色、緑色などの色は使用されていない。傷病者の優先順位が変更になった場合、変更後の優先順位を、医師や看護士に伝えるとき、伝わりにくいという重大な欠陥を有すると考えられる。かかる状況に鑑み、出願人は、従来技術を調査した結果、トリアージタッグについては、幾つか先行技術文献を発見した。しかし、下記特許文献の何れにも、負傷者の治療優先順位を変更した場合に、変更後の順位がより正確に認識できるように、色を使用するという技術は記載されていない。トリアージ区分という欄に、黒色、赤色、黄色、緑色の四種類の色を使用することが好ましいが、そのような技術は、記載されておらず、かつ示唆もされていなかった。
【先行技術文献】
【特許文献】
【特許文献１】  登録実用新案第３０５３７５５号公報
【特許文献２】  登録実用新案第３１２１００７号公報
【特許文献３】  登録実用新案第３１５１６６３号公報
【考案の概要】
【考案が解決しようとする課題】
【０００３】  本考案が解決しようとする課題は、負傷者が治療優先順位を変更した場合に、変更後の治療優先順位を、治療を行おうとする医師や看護士に、迅速かつ正確に伝えることの出来るトリアージタッグを提供することである。本考案が解決しようとする課題は、より具体的には、トリアージ区分に使用されている、０、Ｉ、ＩＩ、ＩＩＩ、の四つの区分に、黒色、赤色、黄色、緑色の色を組み合わせ、四種類の色を用いる。このことによって、傷病者の治療の優先順位を、初期診断した者から、治療を行う医師や看護士に、より迅速かつ正確に伝えることが出来るトリアージタッグを提供することができる。初期診断をした者が、時間の経過の後、最初の診断結果が間違いであったと気づき、傷病者の治療優先順位を変更した場合に、変更後の治療優先順位をより迅速かつ正確に、治療を行う医師や看護士に伝えることの出来るトリアージタッグを提供することである。
【課題を解決するための手段】
【０００５】  課題を解決するための手段は、本願の［実用新案登録請求の範囲］の各請求項に記載の考案である。実用新案登録請求の範囲、明細書、図面等の用語の解釈上の疑義を解消すべく、以下用語の説明を行うこととする。
＜用語の説明＞
＊トリアージ（Ｔｒｉａｇｅ）とは、人材や資源の乏しい場所で起こった、災害医療現場で、最も効率の高い救命医療を行うために、多数の傷病者を重症の度合いと緊急性を見極め、治療の優先順位を決めることである。語源はフランス語の「ｔｒｉａｇｅ（選別）」から来ている。「治療の為の優先順位を判定する」というような意味である。
＊トリアージタッグとは、大きな災害によって、多数の負傷者が出た場合に、負傷の程度によって治療の優先順位をあらわす認識票をいう。本願明細書における、トリアージタッグは、上面に複写用紙を付したトリアージに必要な事項の記載欄を有し、かつその下に、治療優先順位をあらわす４種類の識別標識を切り取り可能な状態に作っている。
＊複写用紙とは、紙に写し取ることのできる用紙をいう。傷病者の氏名、年齢、性別、住所、トリアージ実施月日・時刻、トリアージ実施者名、搬送機関名、収容医療機関名、トリアージ区分等のトリアージに必要な事項を記載してこれらの項事を記載欄（１１）に複写させ、このトリアージタッグ（５）を傷病者の腕などに付け、傷病者を収容医療機関に搬送する。（図２を参照）上面に付した複写用紙は、（１２）と（１３）の２枚になっている。一番上面の（１２）は、災害現場用である。上から２枚目の、（１３）は、搬送搬送機関用である。（１２）と（１３）は、同じ内容のものであるが、災害現場用と搬送機関用と、２か所に保管するため、同じ内容のものが２枚必要なのである。
＊トリアージに必要な事項とは、傷病者の氏名、年齢、性別、住所、トリアージ実施月日、時刻、トリアージ実施者名、搬送機関名、収容医療機関名、トリアージ区分等をいう。複写用紙のトリアージに必要な事項を記載してこれらの事項を、トリアージタッグのトリアージに必要な事項の記載欄（１１）に複写させ、このトリアージタッグを傷病者の腕などに付け、傷病者を収容医療機関に搬送し、上面に付した複写用紙（１２）と（１３）は同じものが２枚の複写になっている。（１２）は切り取られて、災害現場用として保管される。（１３）は切り取られて、搬送機関用として保管される。
＊治療優先度を示す４種類の識別標識とは、生命、身体が危機的状態にあり、緊急に処置の必要なものを治療優先度第１順位とする。２〜３時間処置を遅らせても悪化しない程度のものを治療優先度第２順位とする。軽傷であるため、医師不足の現状では、医師の治療を必ずしも必要としない程度のものを治療優先度第３順位とする。治療を施しても、生命を維持することが不可能と判断される者、あるいは、すでに生命維持がなされていない者を治療優先度第４順位とする。第１順位は赤色、第２順位は黄色、第３順位は緑色、第４順位は黒色の色分けにより識別標識を付している。上記のように色分けするのは、交通信号の色と対応している。黒色は喪服の色を表わし、死に至ることを表す。
＊第１優先順位の識別標識とは、生命に関わる重篤な状態で一刻もはやく処置を行う必要があり、救命の可能性があるものを表す標識であり、赤色の標識である。
＊第２優先順位の識別標識とは、今すぐに生命に関わる重篤な状態ではないが、早期に処置が必要なものを表す標識であり、黄色の標識である。
＊第３優先順位の識別標識とは、救急での搬送の必要がない軽症なものを表す標識であり、緑色の標識である。
＊第４優先順位の識別標識とは、死亡、もしくは救命活動を行ったとしても、救命不可能なものを表す標識であり、黒色の標識である。
＊識別標識を切り取り可能とは、手で識別標識を切り取る（もぎり取る）ことが可能の意味である。
＊優先順位を上げるとは、治療の優先順位を、第４優先順位から、第３優先順位へ、第２優先順位へ、第１優先順位へと変更していくことを表す。
＊優先順位を下げるとは、治療の優先順位を、第１優先順位から、第２優先順位へ、第３優先順位へ、第４優先順位へと変更していくことを表す。
本考案者は、上記の従来トリアージタッグの各種問題点を吟味し、不備なるところを見つけ出し、本考案を考えたものである。課題を解決するための手段は、本願の実用新案登録請求の範囲の各請求項に記載の考案であり、その具体的な解決手段は、以下の通りである。
＊第１の考案（請求項１に記載の考案）
上記の課題を解決するための第１の考案（請求項１に記載の考案）は、上面に複写用紙を付したトリアージに必要な事項の記載欄を有し、且つその下に、治療優先順位を示す４種類の識別標識を切り取り可能に設けている。また、トリアージに必要な事項の記載欄の下の部分にはトリアージ区分という欄が設けられている。このトリアージ区分には、０、Ｉ、ＩＩ、ＩＩＩ、の数字が記されている。この４つの区分に、黒色、赤色、黄色、緑色の４種類の色を組み合わせて用いることを特徴とするトリアージタッグである。さらにくわしく述べると、０の区分には黒色を組み合わせ、Ｉの区分には赤色を組み合わせ、ＩＩの区分には黄色を組み合わせ、ＩＩＩの区分には緑色を組み合わせることを特徴とするトリアージタッグである。
【考案の効果】
【０００６】  本考案に係る、トリアージタッグは、上記のような特徴的構成要件から構成され、特徴的構成要件に応じた、以下のような本願考案特有の効果を奏する。また、上記のような特徴的構成要件から構成されたトリアージタッグによれば、本願考案の課題を十分解消することができた。
＊第１の考案の効果
トリアージタッグは、上面に複写用紙を付し、トリアージに必要な事項の記載欄を有し、且つその下に、治療優先度を示す４種類の識別標識を切り取り可能に設けてある。また、トリアージに必要な事項の記載欄の下の部分には、トリアージ区分という欄が設けられている。このトリアージ区分には、０、Ｉ、ＩＩ、ＩＩＩ、の数字が記されている。第１の考案によれば、トリアージ区分の、０の区分には黒色を組み合わせ、Ｉの区分には赤色を組み合わせ、ＩＩの区分には黄色を組み合わせ、ＩＩＩの区分には緑色を組み合わせることを特徴とするトリアージタッグにより、災害現場において、負傷者の治療優先順位を決めた者が、その後に優先順位を変更したとき、治療を行う医師や看護士に、迅速かつ正確に変更後の優先順位を伝えることの出きるトリアージタッグを提供することができた。すなわち、本考案が解決しようとする課題を達成することができた。当業者が予測不可能な顕著な効果を奏することができた。以下、より具体的に本考案の効果を詳述する。傷病者の治療優先順位を変更した場合に、より迅速かつ正確に変更後の優先順位を、治療を行う医師や看護士に伝えることの出来るトリアージタッグを作っておかなければならない。治療の優先順位を決める者が、初期診断によって負傷者の治療優先順位を決め、トリアージタッグの、トリアージ区分の場所に記されている数字に丸をつけ、もぎとり可能な部分をもぎとり、傷病者の優先順位を決める。その後、優先順位を変更しなければならないことが起こり、優先順位を変更したとき、より迅速かつ正確に、治療を行う医師や看護士に伝えられるようにする為に、トリアージ区分の場所には、数字だけではなく、色をつけておくことがよい。例えば、図１で、トリアージタッグの中に、必要な事項の記載欄が設けてあり、その中に、トリアージ区分という欄がある。初期診断をする者が、傷病者をみて、傷病者の優先順位を０と判断した。そこで、トリアージ区分の場所では数字の０を選び、数字の０に丸をつけた。また、もぎりの部分は、トリアージタッグの一番下が黒色になるようにもぎりとった。つまり、赤色、黄色、緑色の部分をもぎりとったのである。その後、初期診断をした者が、変更を試みた。初期診断をした者が、この傷病者は救命が不可能であると診断したのであるが、しばらくの時間経過の後、自分の診断が間違っていたことに気づいた。今すぐに処置をすれば、助かる可能性のあることを感じ、優先順位をＩに変えたのである。もぎりの部分は、すでに、赤色、黄色、緑色の部分がもぎりとられている為、変更することは出来ない。トリアージ区分の部分を変更する方法しか残されていない。トリアージ区分の部分で、最初に丸をつけた０に二本線を引き、０ではないことを示す。次に、数字のＩに丸をつけ、この傷病者はＩであることを示す。このとき、初期診断する者がどの数字に丸をつければいいのかと迷うこともある。治療をする医師や看護士も、Ｉという数字を見て、迷うことがある。Ｉが優先順位１であるのか、優先順位３であるのか判断ができないことがあるからである。なぜなら、トリアージタッグには、どこにも優先順位という言葉は記載されていないからである。Ｉの方が傷病の程度が重いのか、ＩＩＩの方が傷病の程度が重いのか、全ての医師や看護士が判断できるとは限らないからである。現在の、老人医療において、要介護認定というものがある。要介護認定というシステムの中では、要介護度というものが使用されている。要介護度は、要介護度１から要介護度５までを使用されているが、要介護度１よりも要介護度５の方が、病気の度合いは重いからである。よって、数字の大きい方が、傷病の程度が重いと判断してしまうことも起こりうるのである。しかし、信号の色については、誰もが、赤が一番危険であるという判断をすることが出来る。交差点では、青が一番安全な状態。黄色はやや危険。赤は最も危険な状態。ほとんどの医師や看護士が、赤色が最も危険な状態であると判断をすることは、容易なことなのである。よって、トリアージ区分の場所に、ただ数字だけを使用するよりも、０は黒色と組み合わせる。Ｉは赤色と組み合わせる。ＩＩは黄色と組み合わせる。ＩＩＩは緑色と組み合わせる。このようにして、０、Ｉ、ＩＩ、ＩＩＩの区分のところには、それぞれ黒色、赤色、黄色、緑色を塗って使用した方が、より正確にそれぞれの区分の優先順位を理解することが出来る。このようにして、変更後の優先順位をより迅速かつ正確に、医師や看護士に伝えることが出来るのである。優先順位を第４優先順位から第１優先順位に変更をする場合に、トリアージ区分の０からＩに変更するという考えよりも、黒色から赤色に変更すると考える方が、より理解しやすいのである。優先順位を変更する者も、治療を行う者も、変更後の順位を容易に理解することができる。しかし、従来技術のように、トリアージ区分のところに、数字だけを記載しているものであれば、優先順位を変更した場合に、正確に医師や看護士に、傷病者の優先順位を伝えることが出来ない。トリアージ区分に、従来技術の０、Ｉ，ＩＩ、ＩＩＩ、の数字を使用するとともに、新たに、黒色、赤色、黄色、緑色の４種類の色を組み合わせて使用することによって、変更後の優先順位を迅速かつ正確に、治療を行う医師や看護士に伝えることの出来るトリアージタッグを提供することが出来た。
【考案を実施するための最良の形態】
【０００７】  以下、本考案に係る、トリアージタッグに関する最良の実施形態について、図面を参照しながら説明する。
図１は、本考案に係る、トリアージタッグ（実施例１）の平面図である。
図２は、上面の複写用紙２枚を開いた状態における同上の平面図である。
図３は、従来技術に係る、トリアージタッグの平面図である。
＊＊＊＊＊＊＊＊＊＊＊＊＊＊＊＊＊＊＊＊＊＊＊＊＊＊＊＊＊＊＊＊＊＊＊＊＊＊＊＊
本願発明に係るトリアージタッグ５は、上面に複写用紙を付したトリアージに必要な事項の記載欄１１を有し、且つその下の方に、トリアージ区分という欄がもうけてある。トリアージ区分の欄の中には、０、Ｉ、ＩＩ、ＩＩＩの数字が記載されている。トリアージ区分の欄の中に、黒色、赤色、黄色、緑色の４種類の色を使用することを、特徴とする。つまり、数字の０には黒色を組み合わせる。数字のＩには赤色を組み合わせる。数字のＩＩには黄色を組み合わせる。数字のＩＩＩには緑色を組み合わせる。数字と色を組み合わせて使用することを特徴とする。
【図面の簡単な説明】
【０００８】
【図１】は、本考案に係る、トリアージタッグの平面図である。トリアージタッグ本体（５）と、その上に、２枚の複写用紙がついている。１枚目は災害現場用（１２）で、２枚目は搬送機関用（１３）である。１枚目と２枚目の複写要紙は、トリアージに必要な事項の記載欄（１２と１３）の部分だけであ。その下の部分が記載されているのは、本体（５）だけである。その下の部分とは、治療における第１優先順位から第４優先順位の識別標識のことであり、黒色、赤色、黄色、緑色のもぎり可能の部分のことである。４種類の治療優先順位を表す部分は、複写式にはなっていない。
【図２】は、上面の複写用紙を開いた状態における同上の平面図である。上面の複写用紙は、災害現場用（１２）と、搬送機関用（１３）の２枚あり、２枚の複写用紙（１２と１３）が開かれた状態で描かれている。
【図３】は、従来技術に係る、トリアージタッグの平面図である。
【符号の説明】
【０００９】１  第１優先順位の識別標識（Ｉ、という数字が記載され、赤色に塗られている）
２  第２優先順位の識別標識（ＩＩ、という文字が記載され、黄色に塗られている）
３  第３優先順位の識別標識（ＩＩＩ、という数字が記載され、緑色に塗られている）
４  第４優先順位の識別標識（０、という数字が記載され、黒色にぬられている）
５  トリアージタッグ本体
６  トリアージ区分（６、７、８、９、１０、の全てで、トリアージ区分の欄を形成している。）
７  トリアージ区分の中の、第１優先順位の区分。Ｉ、という数字が記載されて、赤色に塗られている。
８  トリアージ区分の中の、第２優先順位の区分。ＩＩ、という数字が記載されて、黄色に塗られている。
９  トリアージ区分の中の、第３優先順位の区分。ＩＩＩ、という数字が記載されて、緑色に塗られている。
１０  トリアージ区分の中の、第４優先順位の区分。０、という数字が記載されて、黒色に塗られている。
１１  トリアージに必要な事項の記載欄
１２  一番上の複写用紙（災害現場用）。トリアージタッグは、２枚の複写用紙と１枚のトリアージタッグ本体、の３枚で、１組のトリアージタッグになっている。トリアージに必要な事項の記載欄の部分だけが、複写になっている。
１３  上から２枚目の複写用紙（搬送機関用）
１４  紐を取り付ける穴
【図１】
0003159515.tif 000003
【図２】
0003159515.tif 000004
【図３】
0003159515.tif 000005
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
トリアージタッグには、必要な事項の記載欄があり、その中に、トリアージ区分という欄が設けられているが、この欄において、トリアージ区分という文字の右側を、四つの区分に分け、０の数字の書かれた区分を黒色に着色し、Ｉの数字の書かれた区分を赤色に着色し、ＩＩの数字の書かれた区分を黄色に着色し、ＩＩＩの数字の書かれた区分を緑色に着色し、数字と色を組み合わせて使用することを特徴とするトリアージタッグ。